(57)【要約】【課題】メッセージが受信されるとき、参照番号が一致するメッセージが端末機内に存在すると、新しい参照番号を生成して登録することで、参照番号の重複によるエラーを防止する移動通信端末機のメッセージ参照番号生成装置及びその方法を提供する。【解決手段】メッセージサービス機能を実現する移動通信端末機において、受信メッセージの参照番号を既保存されたメッセージの参照番号と比較する参照番号比較手段と、既保存されたメッセージの参照番号と同様な参照番号を有する受信メッセージに新しい参照番号を割り当てる手段と、前記受信メッセージの参照番号及び新しく割り当てられた参照番号を共に保存する参照番号テーブルと、を含んで移動通信端末機のメッセージ参照番号生成装置を構成する。【選択図】図１
2005176327.tif 000002
【特許請求の範囲】
【請求項１】
メッセージサービス機能を実現する移動通信端末機において、
受信メッセージの参照番号を既保存されたメッセージの参照番号と比較する参照番号比較手段と、
既保存されたメッセージの参照番号と同様な参照番号を有する受信メッセージに新しい参照番号を割り当てる手段と、
前記受信メッセージの参照番号及び新しく割り当てられた参照番号を共に保存する参照番号テーブルと、
から構成されることを特徴とする移動通信端末機のメッセージ参照番号生成装置。
【請求項２】
前記参照番号比較手段は、
受信メッセージに割り当てられた参照番号を抽出する手段を更に含んで構成されることを特徴とする請求項１記載の移動通信端末機のメッセージ参照番号生成装置。
【請求項３】
前記参照番号テーブルは、
受信メッセージの順序に従って割り当てられるメッセージ識別子と、
受信メッセージに割り当てられた参照番号と、
前記受信メッセージに新しく割り当てられた参照番号と、
を含んで構成されることを特徴とする請求項１記載の移動通信端末機のメッセージ参照番号生成装置。
【請求項４】
前記受信メッセージの参照番号は、
送信移動局(Mobile Originated Mobile Station；MOMS)により割り当てられることを特徴とする請求項３記載の移動通信端末機のメッセージ参照番号生成装置。
【請求項５】
前記受信メッセージの新しい参照番号は、
受信移動局(Mobile Terminated Mobile Station；MTMS)により割り当てられることを特徴とする請求項３記載の移動通信端末機のメッセージ参照番号生成装置。
【請求項６】
受信メッセージに割り当てられた参照番号を抽出する参照番号抽出手段と、
前記抽出された参照番号と既保存されたメッセージの参照番号とが一致するか否かを比較する参照番号比較手段と、
一致する参照番号が存在すると、前記受信メッセージに新しい参照番号を割り当てる手段と、
受信メッセージに割り当てられた各参照番号を保存する参照番号テーブルと、
から構成されることを特徴とする移動通信端末機のメッセージ参照番号生成装置。
【請求項７】
前記参照番号抽出手段は、
受信メッセージが接合メッセージ(Concatenated message)であると、該当メッセージの参照番号を抽出することを特徴とする請求項６記載の移動通信端末機のメッセージ参照番号生成装置。
【請求項８】
前記参照番号テーブルは、
受信メッセージの順序に従って割り当てられるメッセージ識別子と、
受信メッセージに割り当てられた参照番号と、
前記受信メッセージに新しく割り当てられた参照番号と、
を含んで構成されることを特徴とする請求項６記載の移動通信端末機のメッセージ参照番号生成装置。
【請求項９】
接合メッセージを受信した移動通信端末機において、
受信メッセージの参照番号と同様な参照番号を有するメッセージが保存されていると、前記受信メッセージに新しい参照番号を割り当てることを特徴とする移動通信端末機のメッセージ参照番号生成方法。
【請求項１０】
前記各参照番号は、
参照番号テーブルに保存されることを特徴とする請求項９記載の移動通信端末機のメッセージ参照番号生成方法。
【請求項１１】
受信メッセージに割り当てられた参照番号を抽出する段階と、
前記抽出された参照番号と同様な参照番号を有するメッセージが存在するか否かを確認する段階と、
前記同様な参照番号を有するメッセージが存在すると、前記受信メッセージに対する新しい参照番号を生成して参照番号テーブルに登録する段階と、
を有することを特徴とする移動通信端末機のメッセージ参照番号生成方法。
【請求項１２】
前記参照番号を抽出する段階は、
受信メッセージが接合メッセージであるか否かを確認する段階と、
接合メッセージであると参照番号を抽出する段階と、
から構成されることを特徴とする請求項１１記載の移動通信端末機のメッセージ参照番号生成方法。
【請求項１３】
前記参照番号を確認する段階は、
受信メッセージから抽出された参照番号と前記参照番号テーブルに登録された参照番号とを比較する段階であることを特徴とする請求項１１記載の移動通信端末機のメッセージ参照番号生成方法。
【請求項１４】
前記参照番号テーブルに登録する段階は、
受信メッセージから抽出された参照番号及び新しく割り当てられた参照番号の少なくとも一つ以上を登録することを特徴とする請求項１１記載の移動通信端末機のメッセージ参照番号生成方法。
【請求項１５】
受信メッセージが接合メッセージであるか否かを確認する段階と、
接合メッセージであると参照番号を抽出する段階と、
前記抽出された参照番号と同様な参照番号を有するメッセージを検索する段階と、
同様な参照番号を有するメッセージが存在すると、前記受信メッセージに新しい参照番号を割り当てる段階と、
前記抽出された参照番号及び新しく割り当てられた参照番号を参照番号テーブルに登録する段階と、
を有することを特徴とする移動通信端末機のメッセージ参照番号生成方法。
【請求項１６】
前記受信メッセージが接合メッセージでないと、メッセージの受信事実を使用者に通報するか、または前記受信メッセージをディスプレイする段階を更に含んで構成されることを特徴とする請求項１５記載の移動通信端末機のメッセージ参照番号生成方法。
【請求項１７】
前記参照番号テーブルは、
受信メッセージから抽出された参照番号及び新しく割り当てられた参照番号の少なくとも一つ以上を含むことを特徴とする請求項１５記載の移動通信端末機のメッセージ参照番号生成方法。
【発明の詳細な説明】
【技術分野】
【０００１】
本発明は、移動通信端末機のメッセージサービスに関するもので、詳しくは、移動通信端末機のメッセージ参照番号生成装置及びその方法に関するものである。
【背景技術】
【０００２】
最近、移動通信端末機を通して提供されているサービスは、音声通話サービスの他にも、データ通信サービス及びマルチメディアサービスなどがある。
【０００３】
前記データ通信サービスの一つである短文メッセージサービスは、短文メッセージサービスセンター(Short Message Service Center；SMSC)を通して使用者にテキストメッセージを伝送するサービスで、拡張メッセージサービス(Enhanced Message Service；EMS)は、前記テキストメッセージに絵、アニメーション、写真及びメロディのような多様なコンテンツを添付して伝送するサービスであってEMS専用端末機で送受信が可能である。
【０００４】
前記一つのメッセージは、１４４バイト程度の限定されたデータのみを含むことができるため、前記コンテンツの包含により容量が増加されたEMSメッセージを実現するためには、複数個のデータをまとめて一つのメッセージとして認識する接合機能が必要である。
【０００５】
その接合メッセージ(Concatenated message)に含まれるデータには参照番号という固有値があるが、該参照番号は、８ビットまたは１６ビットとして、０〜２５５または０〜６５３３５の値を有する。
【０００６】
送信移動局(Mobile Originated Mobile Station；MOMS)は、送信(Mobile Originated；MO)メッセージを伝送するとき、一つに組合すべきメッセージに参照番号を付与し、前記メッセージを受信した受信移動局(Mobile Terminated Mobile Station；MTMS)は、前記参照番号を有するメッセージをまとめて一つのメッセージにする。
【０００７】
従来の移動通信端末機のメッセージに含まれる参照番号は、８ビットまたは１６ビットに限定されるため、何人かの特定人とメッセージを交換すると、前記参照番号が循環して前記受信移動局(MTMS)に保存されているメッセージの参照番号と同様な参照番号を有するメッセージが受信されることができる。
【発明の開示】
【発明が解決しようとする課題】
【０００８】
このような従来の移動通信端末機においては、以前に受信されたメッセージと同様な参照番号を有するメッセージが受信されるとき、前記以前に受信されたメッセージに現在のメッセージが重なって保存されるという不都合な点があった。
【０００９】
また、従来の移動通信端末機に、同様な参照番号を有する以前のメッセージと現在のメッセージとが別途に保存される場合も、前記参照番号の衝突によりメッセージが一つにまとめられないため、エラーが発生し得るという不都合な点があった。
【００１０】
本発明は、このような従来の課題に鑑みてなされたもので、メッセージが受信されるとき、参照番号が一致するメッセージが端末機内に存在すると、新しい参照番号を生成して登録することで、参照番号の重複によるエラーを防止する移動通信端末機のメッセージ参照番号生成装置及びその方法を提供することを目的とする。 
【課題を解決するための手段】
【００１１】
このような目的を達成するために、本発明に係る移動通信端末機のメッセージ参照番号生成装置は、受信メッセージの参照番号を既保存されたメッセージの参照番号と比較する参照番号比較手段と、既保存されたメッセージの参照番号と同様な参照番号を有する受信メッセージに新しい参照番号を割り当てる手段と、前記受信メッセージの参照番号及び新しく割り当てられた参照番号を共に保存する参照番号テーブルと、から構成されることを特徴とする。
【００１２】
また、本発明に係る移動通信端末機のメッセージ参照番号生成装置は、受信メッセージに割り当てられた参照番号を抽出する参照番号抽出手段と、前記抽出された参照番号と既保存されたメッセージの参照番号とが一致するか否かを比較する参照番号比較手段と、一致する参照番号が存在すると、前記受信メッセージに新しい参照番号を割り当てる手段と、受信メッセージに割り当てられた各参照番号を保存する参照番号テーブルと、から構成されることを他の特徴とする。
【００１３】
そして、接合メッセージを受信した移動通信端末機において、本発明に係るメッセージ参照番号生成方法は、受信メッセージの参照番号と同様な参照番号を有するメッセージが保存されていると、前記受信メッセージに新しい参照番号を割り当てることを特徴とする。
【００１４】
また、本発明に係る移動通信端末機のメッセージ参照番号生成方法は、受信メッセージに割り当てられた参照番号を抽出する段階と、前記抽出された参照番号と同様な参照番号を有するメッセージが存在するか否かを確認する段階と、前記同様な参照番号を有するメッセージが存在すると、前記受信メッセージに対する新しい参照番号を生成して参照番号テーブルに登録する段階と、を有することを他の特徴とする。
【００１５】
また、本発明に係る移動通信端末機のメッセージ参照番号生成方法は、受信メッセージが接合メッセージであるか否かを確認する段階と、接合メッセージであると参照番号を抽出する段階と、前記抽出された参照番号と同様な参照番号を有するメッセージを検索する段階と、同様な参照番号を有するメッセージが存在すると、前記受信メッセージに新しい参照番号を割り当てる段階と、前記抽出された参照番号及び新しく割り当てられた参照番号を参照番号テーブルに登録する段階と、を有することを更に他の特徴とする。
【００１６】
従って、本発明は、以下を提供する：
１．  メッセージサービス機能を実現する移動通信端末機において、
受信メッセージの参照番号を既保存されたメッセージの参照番号と比較する参照番号比較手段と、
既保存されたメッセージの参照番号と同様な参照番号を有する受信メッセージに新しい参照番号を割り当てる手段と、
前記受信メッセージの参照番号及び新しく割り当てられた参照番号を共に保存する参照番号テーブルと、
から構成されることを特徴とする移動通信端末機のメッセージ参照番号生成装置。
２．  前記参照番号比較手段は、
受信メッセージに割り当てられた参照番号を抽出する手段を更に含んで構成されることを特徴とする項目１記載の移動通信端末機のメッセージ参照番号生成装置。
３．  前記参照番号テーブルは、
受信メッセージの順序に従って割り当てられるメッセージ識別子と、
受信メッセージに割り当てられた参照番号と、
前記受信メッセージに新しく割り当てられた参照番号と、
を含んで構成されることを特徴とする項目１記載の移動通信端末機のメッセージ参照番号生成装置。
４．  前記受信メッセージの参照番号は、
送信移動局(Mobile Originated Mobile Station；MOMS)により割り当てられることを特徴とする項目３記載の移動通信端末機のメッセージ参照番号生成装置。
５．  前記受信メッセージの新しい参照番号は、
受信移動局(Mobile Terminated Mobile Station；MTMS)により割り当てられることを特徴とする項目３記載の移動通信端末機のメッセージ参照番号生成装置。
６．  受信メッセージに割り当てられた参照番号を抽出する参照番号抽出手段と、
前記抽出された参照番号と既保存されたメッセージの参照番号とが一致するか否かを比較する参照番号比較手段と、
一致する参照番号が存在すると、前記受信メッセージに新しい参照番号を割り当てる手段と、
受信メッセージに割り当てられた各参照番号を保存する参照番号テーブルと、
から構成されることを特徴とする移動通信端末機のメッセージ参照番号生成装置。
７．  前記参照番号抽出手段は、
受信メッセージが接合メッセージ(Concatenated message)であると、該当メッセージの参照番号を抽出することを特徴とする項目６記載の移動通信端末機のメッセージ参照番号生成装置。
８．  前記参照番号テーブルは、
受信メッセージの順序に従って割り当てられるメッセージ識別子と、
受信メッセージに割り当てられた参照番号と、
前記受信メッセージに新しく割り当てられた参照番号と、
を含んで構成されることを特徴とする項目６記載の移動通信端末機のメッセージ参照番号生成装置。
９．  接合メッセージを受信した移動通信端末機において、
受信メッセージの参照番号と同様な参照番号を有するメッセージが保存されていると、前記受信メッセージに新しい参照番号を割り当てることを特徴とする移動通信端末機のメッセージ参照番号生成方法。
１０．  前記各参照番号は、
参照番号テーブルに保存されることを特徴とする項目９記載の移動通信端末機のメッセージ参照番号生成方法。
１１．  受信メッセージに割り当てられた参照番号を抽出する段階と、
前記抽出された参照番号と同様な参照番号を有するメッセージが存在するか否かを確認する段階と、
前記同様な参照番号を有するメッセージが存在すると、前記受信メッセージに対する新しい参照番号を生成して参照番号テーブルに登録する段階と、
を有することを特徴とする移動通信端末機のメッセージ参照番号生成方法。
１２．  前記参照番号を抽出する段階は、
受信メッセージが接合メッセージであるか否かを確認する段階と、
接合メッセージであると参照番号を抽出する段階と、
から構成されることを特徴とする項目１１記載の移動通信端末機のメッセージ参照番号生成方法。
１３．  前記参照番号を確認する段階は、
受信メッセージから抽出された参照番号と前記参照番号テーブルに登録された参照番号とを比較する段階であることを特徴とする項目１１記載の移動通信端末機のメッセージ参照番号生成方法。
１４．  前記参照番号テーブルに登録する段階は、
受信メッセージから抽出された参照番号及び新しく割り当てられた参照番号の少なくとも一つ以上を登録することを特徴とする項目１１記載の移動通信端末機のメッセージ参照番号生成方法。
１５．  受信メッセージが接合メッセージであるか否かを確認する段階と、
接合メッセージであると参照番号を抽出する段階と、
前記抽出された参照番号と同様な参照番号を有するメッセージを検索する段階と、
同様な参照番号を有するメッセージが存在すると、前記受信メッセージに新しい参照番号を割り当てる段階と、
前記抽出された参照番号及び新しく割り当てられた参照番号を参照番号テーブルに登録する段階と、
を有することを特徴とする移動通信端末機のメッセージ参照番号生成方法。
１６．  前記受信メッセージが接合メッセージでないと、メッセージの受信事実を使用者に通報するか、または前記受信メッセージをディスプレイする段階を更に含んで構成されることを特徴とする項目１５記載の移動通信端末機のメッセージ参照番号生成方法。
１７．  前記参照番号テーブルは、
受信メッセージから抽出された参照番号及び新しく割り当てられた参照番号の少なくとも一つ以上を含むことを特徴とする項目１５記載の移動通信端末機のメッセージ参照番号生成方法。
【発明の効果】
【００１７】
本発明に係る移動通信端末機のメッセージ参照番号生成装置及びその方法においては、端末機に受信されたメッセージの参照番号と同様な参照番号を有するメッセージが既に端末機に存在する場合、前記受信端末機が、現在受信されたメッセージに新しい参照番号を割り当てて保存することで、既保存されたメッセージに現在のメッセージが重なって保存されることを防止し、接合メッセージが一つのメッセージにまとめられないエラーを減少できるという効果がある。
【発明を実施するための最良の形態】
【００１８】
以下、添付の図面を参照して、本発明に係る移動通信端末機のメッセージ参照番号生成装置及びその方法の実施形態を説明する。
【００１９】
本発明の実施形態においては、端末機内に保存されたメッセージの参照番号と一致する参照番号を有するメッセージが受信されると、受信移動局(MTMS)が前記受信メッセージに対する新しい参照番号を生成して二つの参照番号を登録する。
【００２０】
図１は、EMSメッセージのデータフィールド構造を示した図で、使用者データヘッダー長さ(Length of User Data Header；UDHL)フィールドの直前にある使用者データ長さ(User Data Length；UDL)フィールドは、不変するもので使用者データフィールドの全長を定義し、情報要素長さ(Length of Information Element；IEIDL)フィールドは、情報要素データ(Information Element Data；IED)フィールドと関連するオクテット個数を示した整数表現で、それ自体はカウント値に含まれず、前記使用者データヘッダー長さ(UDHL)フィールドは、使用者データヘッダーフィールド内のオクテット個数を示した整数表現で、それ自体及びFILL BITSはカウント値に含まれない。
【００２１】
前記EMSメッセージは、８ビットの参照番号を有する接合短文メッセージと、１６ビットの参照番号を有する接合短文メッセージとに区分される。
【００２２】
前記８ビットの参照番号を有する接合短文メッセージの情報要素識別子(Information Element Identifier；IEI)は０で、情報要素長さ(IEIDL)は３で、情報要素データ(IED)のオクテットは次のようである。
【００２３】
オクテット１：接合短文メッセージ(８ビット)の参照番号
オクテット２：接合短文メッセージにおける短文メッセージの最大数
オクテット３：現在の短文メッセージの一連番号
前記１６ビットの参照番号を有する接合短文メッセージの情報要素識別子(IEI)は０８で、情報要素長さ(IEIDL)は４で、情報要素データ(IED)のオクテットは次のようである。
【００２４】
オクテット１〜２：接合短文メッセージ(１６ビット)の参照番号
オクテット３：接合短文メッセージにおける短文メッセージの最大数
オクテット４：現在の短文メッセージの一連番号
図２は、前記情報要素データ(IED)のオクテットの実施例を示した図で、図示されたように、メッセージM１、M２及びM３を含む接合メッセージを発信するとき、８ビットの参照番号を「１２３」と仮定すると、
前記メッセージM１の参照番号を示すオクテット１は「１２３」で、短文メッセージの最大個数を示すオクテット２は「３」で、現在の短文メッセージの一連番号を示すオクテット３は「１」になる。
【００２５】
また、前記メッセージM２のオクテット１は「１２３」、オクテット２は「３」、オクテット３は「２」になり、前記メッセージM３のオクテット１は「１２３」、オクテット２は「３」、オクテット３は「３」になる。
【００２６】
図３は、本発明に係る移動通信端末機のメッセージ参照番号生成方法を示したフローチャートで、図示されたように、端末機にメッセージが受信されると(ステップS１１)、該メッセージが接合メッセージであるか否かを確認する(ステップS１２)。
【００２７】
その確認の結果、前記受信メッセージが接合メッセージでないMMS(Multimedia Message Service)またはLMS(Long Message Service)であると確認されると、前記端末機は、メッセージの受信を使用者に知らせ、使用者がキーボタンを通して入力する命令によってディスプレイ部に前記メッセージを表示する(ステップS１３)。
【００２８】
一方、前記受信メッセージが接合メッセージであると確認されると、前記端末機は、現在受信されたメッセージから参照番号を抽出して(ステップS１４)、該抽出された参照番号と同様な参照番号を有するメッセージが前記端末機内に保存されているか否かを確認する(ステップS１５)。
【００２９】
このとき、前記端末機内に搭載された参照番号テーブルに既保存されている以前の接合メッセージの参照番号中、現在受信されたメッセージの参照番号と一致する参照番号があるか否かを比較する。即ち、前記端末機に受信される接合メッセージの参照番号は、参照番号テーブルに保存される。
【００３０】
その後、前記抽出された参照番号と同様な参照番号を有するメッセージが前記端末機に保存されていると、前記端末機は、受信されたメッセージの参照番号を代置する新しい参照番号を生成した後(ステップS１６)、前記抽出された参照番号及び新しい参照番号を共に前記参照番号テーブルに保存する(ステップS１７)。
【００３１】
しかしながら、前記抽出された参照番号と同様な参照番号を有するメッセージが前記端末機内に存在しないと、前記端末機は、前記抽出された参照番号をそのまま前記参照番号テーブルに保存する(ステップS１８)。
【００３２】
図４は、本発明に係る参照番号テーブルの構造を示した図で、前記端末機に受信される接合メッセージの順序に従って割り当てられるメッセージ識別子と、前記送信移動局(MOMS)により前記接合メッセージに割り当てられた参照番号と、前記受信移動局(MTMS)により前記接合メッセージに割り当てられた参照番号と、から構成されている。
【００３３】
図４に示したように、メッセージ識別子#３に該当する接合メッセージの参照番号が「１２３」の場合、前記端末機は、前記参照番号テーブルを検索して、参照番号「１２３」を有するメッセージが前記メッセージ識別子#２に存在することを確認する。その後、前記端末機は、メッセージ識別子#３に該当する接合メッセージに新しい参照番号「１２２」を割り当て、前記参照番号「１２３」及び新しい参照番号「１２２」を共に前記参照番号テーブルに保存する。
【００３４】
即ち、前記端末機に受信された接合メッセージに含まれた参照番号と同様な参照番号を有するメッセージが前記端末機に存在する場合、新しい参照番号を生成して二つの参照番号を共に前記参照番号テーブルに保存する。
【００３５】
図５は、本発明により端末機に保存されたメッセージを確認する方法を示したフローチャートで、前記端末機に保存されたメッセージを使用者の要請に応じて端末機のディスプレイ部に表示する過程である。
【００３６】
まず、使用者が前記端末機に保存されたメッセージのメッセージ確認命令を入力すると(ステップS２１)、前記端末機は、メッセージリストをディスプレイ部に表示し(ステップS２２)、使用者が任意のメッセージを選択すると、該当のメッセージが接合メッセージであるか否かを判断する(ステップS２３)。
【００３７】
その後、前記メッセージが接合メッセージであると、該当のメッセージと同様な参照番号を有するメッセージを一連番号順に配列した後(ステップS２４)、前記ディスプレイ部に表示する(ステップS２５)。しかしながら、前記メッセージが接合メッセージでないと、該当のメッセージをそのまま符号化して前記ディスプレイ部に表示する(ステップS２５)。
【００３８】
このとき、前記接合メッセージが前記受信端末機により新しく割り当てられた参照番号を有していると、新しい参照番号を基準に一連番号を配列する。
【００３９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４０】
【図１】EMSメッセージのデータフィールド構造を示した図である。
【図２】図１の情報要素データ(IED)のオクテットの実施例を示した図である。
【図３】本発明に係る移動通信端末機のメッセージ参照番号生成方法を示したフローチャートである。
【図４】本発明に係る参照番号テーブルの構造を示した図である。
【図５】本発明により端末機に保存されたメッセージを確認する方法を示したフローチャートである。
【図１】
2005176327.tif 000003
【図２】
2005176327.tif 000004
【図３】
2005176327.tif 000005
【図４】
2005176327.tif 000006
【図５】
2005176327.tif 000007